(57)【要約】【課題】  柔軟な導電性部材を少なくとも１つ伴うスイッチおよびＤＣ電圧源を含んで成る電気回路。【解決手段】  スイッチ（１０）は導電性表面を有する１番目および２番目の基質（１４、２０）を含んで成っていて前記導電性表面は場合により溝をまたいで互いに面する導電性層（１６、２２）の導電性表面であってもよい。前記１番目の基質（１４）は柔軟でありそしてこれは本質的に導電性の置換もしくは未置換ポリチオフェンを場合により導電性被膜（１６）として含んで成る。基質の一方が基質のもう一方に向かって押されることで前記２つの導電性表面が接触すると前記スイッチはワイヤー（２８、３０）を含んで成る電気回路を完成し得る。前記本質的に導電性の置換もしくは未置換ポリチオフェンの表面にかける極性を好適には負にする。この電気回路にかける電圧を好適には５ボルト未満にし、より好適には前記電気回路にかける電圧を３ボルト未満にし、更により好適には前記電気回路にかける電圧を１ボルト未満にする。【選択図】      図１０
2010231788.tif 000002
【特許請求の範囲】
【請求項１】
スイッチおよびＤＣ電圧源を含んで成る電気回路であって、前記スイッチは、本質的に導電性の置換もしくは未置換のポリチオフェン重合体を含んでいて導電性表面を有する１番目の基質（カバーシート）、および、前記１番目の基質から離れて位置していて導電性表面を有する２番目の基質、を含んで成っており、前記カバーシートが動いて前記２番目の基質の導電性表面に接触すると前記接触を示すシグナルを発生する、そして、前記電圧源は、１番目の基質の導電性表面と２番目の基質の導電性表面との間に電圧差を与えるものであり、前記１番目の基質の導電性表面は前記電圧源の負極性につなげられ、電圧差は５ボルト未満であることを特徴とする電気回路。
【請求項２】
電圧差が３ボルト未満である請求項１記載の電気回路。
【請求項３】
電圧差が１ボルト未満である請求項１記載の電気回路。
【請求項４】
前記置換もしくは未置換のポリチオフェンが下記の式：
【化１】
2010231788.tif 000005
［式中、
ｎは、１よりも大きく、そして
Ｒ1およびＲ2は、各々独立して、水素、または場合により置換されていてもよいＣ1-4アルキル基を表すか、或は一緒になって、場合により置換されていてもよいＣ1-4アルキレン基、または場合により置換されていてもよいシクロアルキレン基、好適にはエチレン基、場合によりアルキルで置換されていてもよいメチレン基、場合によりＣ1-12アルキルもしくはフェニルで置換されていてもよいエチレン基、１，３−プロピレン基、または１，２−シクロヘキシレン基を表す］
で表される請求項１〜３のいずれか１つに記載の電気回路。
【請求項５】
電気器具であって、請求項１〜４のいずれか１つに記載の電気回路を含んで成る電気器具。
【請求項６】
タッチスクリーンであって、請求項１〜４のいずれか１つに記載の電気回路を含んで成るタッチスクリーン。
【請求項７】
キーボードであって、請求項１〜４のいずれか１つに記載の電気回路を含んで成るキーボード。
【発明の詳細な説明】
【発明の分野】
【０００１】
本発明は一般にスイッチおよび電圧源を含んで成る電気回路に関する。より具体的には、本発明は、２つの導電性表面が接触する種類のスイッチ、例えば膜スイッチおよび抵抗タッチスクリーンなどとＤＣ電圧源とを含んで成る電気回路に関する。
【発明の背景】
【０００２】
２つの導電性表面が接触する種類のスイッチは抵抗タッチスクリーンおよび膜スイッチの如き技術で用いられる。便利さおよび明瞭さの理由で、この背景セクションではタッチスクリーンを記述する。
【０００３】
タッチスクリーンはデータを入力する目的でコンピューター技術で用いられる。コンピューターの使用者がキーボードまたはマウスを用いてデータを入力する代わりに、この使用者は、コンピューターのモニターに取り付けられたタッチスクリーンを通してデータを入力する。米国特許第４,３０６,１１０；米国特許第５,４３８,１６８；米国特許第５,５４１,３７０；米国特許第５,５８９,８５７；米国特許第５,８１８,４３０；および米国特許第５,８４０,１７５号に抵抗タッチスクリーンが開示されている。
【０００４】
抵抗タッチスクリーンの基本的構造は１番目の柔軟な基質（カバーシート）とこのカバーシートに結合している２番目の基質を含んで成る。前記１番目の基質は典型的にプラスチック、例えばポリ（エチレンテレフタレート）（ＰＥＴ）などの薄層を含んで成る。この１番目の基質は相対する１番目の表面と２番目の表面を有し、前記１番目の表面がコンピューターの使用者の方に向いておりそして前記２番目の表面が前記２番目の基質の方に向いている。前記１番目の基質の２番目の表面は導電性であり、例えば導電性要素（ｃｏｎｄｕｃｔｉｖｅ  ｅｌｅｍｅｎｔ）などで被覆されている。前記２番目の基質は一般にガラスを含んで成るが、他の透明なプラスチック材料を用いることも可能であり、それは平らであるか或はコンピューターモニターの湾曲に合致するように湾曲している。この２番目の基質は、例えば前記１番目の基質に面することでまたコンピューターの使用者の方にも向いている導電性要素などで被覆されている導電性表面を有する。
【０００５】
前記導電性要素は典型的に金属または金属酸化物、例えばインジウム錫酸化物（ＩＴＯ）などの薄層で出来ている透明な導電性被膜であるが、他の金属または金属酸化物を用いることも可能である。ＩＴＯ被膜の組成および塗布が米国特許第５，７７６，３７３号、米国特許第５，８５１，６４２号および米国特許第６，０４２，７５２号に記述されている。
【０００６】
このようなタッチスクリーンは典型的にまたスペーサードット（ｓｐａｃｅｒ  ｄｏｔｓ）を複数含んで成り、前記スペーサードットは、前記カバーシート（１番目の基質）または２番目の基質のいずれかの上表面（ｆａｃｉｎｇ  ｓｕｒｆａｃｅｓ）の１つを覆っている導電性被膜に付着している。スペーサードットは米国特許第５，２２０，１３６号に記述されているが、また他のスペーサードットを用いることも可能である。このようなスペーサードットが前記カバーシート（１番目の基質）と２番目の基質を分離している。前記カバーシートに触れると２つの導電性表面［１つは前記カバーシート（１番目の基質）の表面でありそして１つは前記２番目の基質の表面である］が一緒に圧縮されることで電気回路［この電気回路はまた導電性表面の縁に付いている導電性要素、例えばワイヤーなども含んで成る］が完成する。その触れる特定の場所、従って導電性表面と導電性表面が接触する場所が、前記接触によってデータが作り出されて転送される場所である。
【０００７】
ヨーロッパ特許出願公開第０  １２８  ５２９号には、互いに電気的に分離した状態で配列されていて接続部が与えられておりかつ追加的に導電性橋渡し要素（ｂｒｉｄｇｉｎｇ  ｅｌｅｍｅｎｔ）［これは前記接触要素の一方または両方から電気的に絶縁されており、そしてこれは、これに圧力がかかると、それまたはそれらに接触し得る］も与えられている２つの接触要素を伴う圧力スイッチが開示されており、これは、前記橋渡し要素が導電性ピロール重合体を含んで成ることを特徴とする。
【０００８】
伝統的なタッチスクリーンに関する問題は、カバーシート（１番目の基質）に含まれている柔軟なシートの機械的特性とこの１番目の基質が有する導電性表面の機械的特性の間の相互関係にある。前記導電性表面で用いられている伝統的な材料は一般に脆く、これが変形を繰り返し受けると亀裂を起こしかつ前記１番目の基質に含まれている柔軟なプラスチックシートから剥がれる（ｄｉｓｂｏｎｄ）可能性がある。それによって、今度は、前記導電性表面で電流を運ぶ通路の連続性が壊れ、その結果として今度はタッチスクリーンが接触の場所を正確に報告することができなくなってしまう。求められているのは、スイッチの寿命に渡って柔軟で耐久性がありかつ柔軟なシートに結合する導電性表面である。このような導電性表面をタッチスクリーンで用いる場合、これはまた透明である必要もある。
【０００９】
金属および金属酸化物被膜は、上述した欠点を有することに加えて、ＩＴＯ被膜の寿命は限られている、即ちそれらは必要な電流を数回のタッチ（ｔｏｕｃｈｅｓ）後に伝達しなくなる。また、ＩＴＯ被膜は比較的高価でありかつ機械的損傷に対する耐性が低い。求められているのは、寿命がより長くてコストが低くかつ機械的損傷に対して耐性を示す透明な導電性被膜である。
【発明の面】
【００１０】
本発明の１つの面は、導電性表面が安価で機械的特性が向上、即ち脆くなくかつ長期に渡る使用後でも１番目の基質の柔軟なシートに結合したままであるスイッチを提供することにある。
【００１１】
本発明のさらなる面は、寿命を向上させたタッチスクリーンを提供することにある。
【００１２】
本明細書の以下に行う記述から本発明のさらなる面および利点が明らかになるであろう。
【発明の要約】
【００１３】
本発明は、１番目の基質（カバーシート）の透明な導電性表面で用いられている材料と電気回路の電気特性の両方を変えることで前記問題を解決するものである。
【００１４】
本発明では、伝統的なタッチスクリーン技術に対する１番目の改良で、本質的に導電性の重合体の層を１番目の基質（カバーシート）の柔軟なプラスチックシートを覆う被膜として用いる。柔軟なプラスチックシートを覆う本質的に導電性の重合体の被膜は、１番目の基質（カバーシート）のプラスチックシートを覆うＩＴＯ被膜に比べて、脆くなく、機械的損傷に対する柔軟性が高くかつ低コストで入手可能である。更に、金属被膜ではなく本質的に導電性の重合体被膜でプラスチックシートを覆うと、そのような被膜は亀裂を起こすことも前記１番目の基質（カバーシート）のプラスチックシートから剥がれることもないことで寿命がより長くなる。本発明者らは、この上に述べたスイッチは長期間に渡る使用後でも機械的損傷を受け易くはないが本質的に導電性の重合体を含んで成る導電性被膜が１層のみで他が本質的に金属または金属酸化物、例えばＩＴＯなどから成る時には寿命が制限されることを見いだした。驚くべきことに、本質的に導電性の被膜の方が金属も
しくは金属酸化物被膜よりも機械的特性が向上していると言った利点を得ようとするには本質的に導電性の重合体を組み込んだタッチスクリーンを用いた電気回路の励起を注意深く調節する必要があることを見いだした。通常の金属もしくは金属酸化物被膜、例えばＩＴＯなどを用いる場合には電気回路の励起をそのように注意深く調節する必要はなく、かつそのような通常の材料を用いた場合には決して追加的利点は得られない。特に、そのような本質的に導電性の重合体被膜が有する向上した機械的特性の利点を最大限にしようとする時には、励起電圧のレベルと前記本質的に導電性の重合体被膜にかける電圧の極性の両方を注意深く調節する必要がある。本タッチスクリーンでは励起電圧を商業的に入手可能な多数種のタッチスクリーンで通常用いられている５ボルトＤＣから下げる必要がある。またＡＣ電圧でも同じ効果が観察される。追加的に、前記本質的に導電性の重合体被膜をＤＣ電圧下に保持すると本タッチスクリーンの耐久性が有意に向上する。このような驚くべき効果は通常の金属もしくは金属酸化物被膜を用いた時には観察されない。
【００１５】
導電性表面を有する１番目の基質（カバーシート）［この１番目の基質は本質的に導電性の重合体を含んで成る］および導電性表面を有する２番目の基質［この基質は前記１番目の基質から離れて位置する］を含んで成るスイッチ［前記カバーシートが動いて前記２番目の基質の導電性表面に接触すると前記接触を示すシグナルを発生する］を用いて本発明の面を実現し、このスイッチは、前記本質的に導電性の重合体が置換もしくは未置換のポリチオフェンであることを特徴とする。
【００１６】
更に、この上に開示したスイッチおよび前記１番目の基質の導電性表面と前記２番目の基質の導電性表面の間に電圧差を与える電圧源を含んで成る電気回路を用いることでも本発明の面を実現する。
【００１７】
また、この上に開示したスイッチまたはこの上に開示した電気回路を含んで成る電気器具を用いることでも本発明の面を実現する。
【００１８】
また、この上に開示したスイッチまたはこの上に開示した電気回路を含んで成るタッチスクリーンを用いることでも本発明の面を実現する。
【００１９】
また、この上に開示したスイッチまたはこの上に開示した電気回路を含んで成るキーボードを用いることでも本発明の面を実現する。
【００２０】
本発明に従うスイッチおよび電気回路の好適な態様を独立項に明記する。
【詳細な説明】
【００２１】
定義
また用語「カバーシート」を用いる時にも本発明に従う柔軟で導電性表面を有する１番目の基質を示す。
【００２２】
スイッチ
本発明のスイッチは１番目の基質と２番目の基質を含んで成る。本スイッチの１番目の基質（カバーシート）は柔軟な支持体（１番目の支持体）と本質的に導電性の置換もしくは未置換ポリチオフェンを含んで成っていて柔軟で導電性表面を有する。本スイッチの２番目の基質は支持体（２番目の支持体）を含んで成っていて導電性表面を有する。
【００２３】
本発明のスイッチの１番目の態様に従い、前記１番目と２番目の基質の導電性表面は互いに離れて位置していて互いに面しており、このように、前記１番目の基質に触れるとそれの導電性表面と前記２番目の基質の導電性表面が一緒に押され得ることで電気接触が実現する。
【００２４】
本発明のスイッチの２番目の態様に従い、１番目の端子が前記１番目の基質の導電性表面から伸びておりそして２番目の端子が前記２番目の基質の導電性表面から伸びており、前記１番目の基質が動くと前記１番目の基質の導電性表面が前記２番目の基質の導電性表面に接触することで回路が完成するように前記１番目の端子が電気回路を形成する。
【００２５】
本発明のスイッチの３番目の態様に従い、電気回路が前記１番目の基質の表面層と前記２番目の基質の表面層の間に電圧差を与える電圧源を含んで成り、この電気回路は、前記１番目の基質に触れると結果として前記１番目の基質の表面層と前記２番目の基質の表面層が一緒に押されることで完成する。
【００２６】
本発明のスイッチの４番目の態様に従い、前記１番目の基質の導電性層の極性は前記２番目の基質の導電性表面に比較して負である。
【００２７】
本発明に従うスイッチの４番目の態様に従い、前記２番目の基質の導電性表面は通常の導電性無機被膜、例えばＩＴＯなどである。
【００２８】
本発明のスイッチの５番目の態様に従い、本スイッチは、更に、前記１番目の基質の導電性表面または前記２番目の基質の導電性表面に位置する複数のスペーサードットも含んで成る。
【００２９】
本発明のスイッチの６番目の態様に従い、
１番目の支持体とこの１番目の支持体の１番目の表面に付着している１番目の導電性被膜を含んで成る１番目の基質（カバーシート）［この１番目の導電性被膜は本質的に導電性の置換もしくは未置換チオフェンを含んで成る］、および２番目の支持体とこの２番目の支持体の１番目の表面に付着している２番目の導電性被膜を含んで成る２番目の基質、
を含めて、前記１番目の基質と２番目の基質を前記１番目の導電性被膜と２番目の導電性被膜が互いに面するように位置させ、そして前記１番目の導電性被膜と２番目の導電性被膜を横切らせてかける電位を５ボルト未満にする。
【００３０】
本発明では、また、接着を向上させる目的で他の要素、例えばタイ層（ｔｉｅ−ｌａｙｅｒｓ）（示していない）などを用いることも可能であり、それらを前記１番目の基質（カバーシート）のプラスチックシートと導電性重合体層の間に位置させてもよい。
【００３１】
本スイッチの１番目の基質
本発明のスイッチの１番目の基質（カバーシート）は、柔軟な支持体（１番目の支持体）と本質的に導電性の置換もしくは未置換ポリチオフェンを含んで成っていて柔軟で導電性表面を有する。更に、前記１番目の基質の導電性表面にも本質的に導電性の置換もしくは未置換ポリチオフェンを含めても構わない。
【００３２】
この１番目の基質の本質的に導電性の置換もしくは未置換ポリチオフェンを標準的な被覆技術または積層で与えることができる。本発明で用いる１番目の基質の柔軟な支持体（１番目の支持体）は、好適には、プラスチックシート、例えばポリ（エチレンテレフタレート）、ポリ（エチレンナフタレート）、ポリスチレン、ポリエーテルスルホン、ポリカーボネート、ポリアクリレート、ポリアミド、ポリイミド、セルローストリアセテート、ポリオレフィン、ポリ塩化ビニル、そして同様な特性を有する他のプラスチックであり、場合によりそれにサビング（ｓｕｂｂｉｎｇ）層を与えることも可能である。
【００３３】
本発明の好適な態様に従う１番目の基質の導電性表面は、導電性被膜の導電性表面である、即ちこの１番目の基質は支持体（１番目の支持体）と導電性被膜を含んで成る。
【００３４】
また、導電性被膜を与えておいた軟質ガラス／プラスチック積層物、例えばＷＯ  ９９／２１７０７、ＷＯ  ９９／２１７０８およびヨーロッパ特許出願公開第１  ０１３  ４１３号に記述されている如き積層物を本発明のスイッチの１番目の基質として用いることも可能である。
【００３５】
この１番目の基質は好適には実質的に透明である、即ち白色光（ｗｈｉｔｅ  ｌｉｇｈｔ）透過率が少なくとも８０％、より好適には少なくとも９０％、最も好適には少なくとも９５％であることを特徴とする。
【００３６】
この１番目の基質の導電性被膜の反対側に位置する面に追加的層、例えば抗光沢（ａｎｔｉ−ｇｌａｒｅ）層または耐引っ掻き傷性ハードコート（ｈａｒｄｃｏａｔ）層などを与えることも可能である。
【００３７】
本スイッチの２番目の基質
本発明のスイッチの２番目の基質は支持体（２番目の支持体）を含んで成っていて導電性表面を有する。この２番目の基質の支持体（２番目の支持体）は柔軟である必要はなく、無機基質、例えばセラミックまたはガラスなどであってもよいが、また他の透明な材料、例えばプラスチックなどを用いることも可能である。
【００３８】
本発明の好適な態様に従う２番目の基質の導電性表面は、導電性被膜の導電性表面である、即ちこの２番目基質は支持体（２番目の支持体）と導電性被膜を含んで成る。
【００３９】
この２番目の基質は平らであってもよいか或は例えばコンピューターのモニタースクリーンの湾曲に合致するように湾曲していてもよい。この２番目の基質の導電性表面はインジウム錫酸化物（ＩＴＯ）であってもよいか或は他の透明な金属もしくは金属酸化物被膜または本質的に導電性の重合体で作られていてもよい。この２番目の基質の導電性被膜の反対側に位置する面に追加的層、例えば抗光沢層または耐引っ掻き傷性ハードコート層などを与えることも可能である。
【００４０】
電気回路
本発明に従う電気回路は、この上に開示したスイッチおよび前記１番目の基質の導電性表面と前記２番目の基質の導電性表面の間に電圧差を与える電圧源を含んで成る。そのような電気回路を図１０に示す。
【００４１】
本発明の電気回路の１番目の態様に従う電圧源はＡＣ電圧源である。
【００４２】
本発明の電気回路の２番目の態様に従う電圧源はＤＣ電圧源であり、この場合、前記１番目の基質の導電性表面を前記ＤＣ電圧源の負極性につなげる。
【００４３】
本発明の電気回路の３番目の態様に従い、この場合の電圧差は５ボルト未満である。
【００４４】
本発明の電気回路の４番目の態様に従い、この場合の電圧差は３ボルト未満である。
【００４５】
本発明の電気回路の５番目の態様に従い、この場合の電圧差は１ボルト未満である。
【００４６】
タッチスクリーン
本発明に従うスイッチまたは本発明に従う電気回路を含んで成るタッチスクリーン。
【００４７】
本発明のタッチスクリーンの第一態様に従って本発明のスイッチをタッチスクリーンの
構成要素として用いる時には、前記１番目の基質と２番目の基質が実質的に透明、即ち各々の白色光透過率が少なくとも８０％、より好適には少なくとも９０％、最も好適には少なくとも９５％であることを特徴とするスイッチが好適である。
【００４８】
本発明のタッチスクリーンの２番目の態様に従い、本タッチスクリーンは、
１番目の支持体（この１番目の支持体はプラスチックを含んで成る）を含んで成る１番目の基質（カバーシート）、
前記１番目の基質から離れて位置する２番目の基質、
前記１番目の支持体を覆っている１番目の導電性被膜［この１番目の導電性被膜は相対する表面を有しており、この１番目の導電性被膜の相対する表面の１つは前記１番目の支持体に面しており、この１番目の導電性被膜の相対する表面のもう１つは前記２番目の基質に面しており、この１番目の導電性被膜は本質的に導電性の置換もしくは未置換のポリチオフェンを含んで成る］、
前記２番目の支持体を覆っている２番目の導電性被膜［この２番目の導電性被膜は前記１番目の導電性被膜から離れて位置しており、この２番目の導電性被膜は前記１番目の導電性被膜に面する表面を有していてそれから離れて位置している］、および
複数のスペーサードット［この複数のスペーサードットは、前記導電性被膜の中の他方の導電性被膜に面する表面を覆っている１番目の導電性被膜または２番目の導電性被膜の上に位置し、このスペーサードットは前記導電性被膜の中の他方の導電性被膜から離れて位置する］、
前記１番目の導電性被膜から伸びる１番目の端子、
前記２番目の導電性被膜から伸びる２番目の端子、
を含んでいて、
前記１番目の導電性被膜と前記２番目の導電性被膜が一緒に押されると電気シグナルが受信媒体に伝達される電気回路が完成するように前記１番目の端子と前記１番目の導電性被膜と前記２番目の導電性被膜と前記２番目の端子が電気回路を形成する。
【００４９】
図９に本発明に従うタッチスクリーン１０を示す。１番目の基質（カバーシート）１２は、透明なポリエチレンテレフタレート（ＰＥＴ）シート１４とこれの上に位置する導電性被膜１６を含んで成る。この導電性被膜１６は、ＰＥＴシート１４とは別の方向を向く導電表面１８を有する。この１番目の基質の導電性被膜１６は本質的に導電性の重合体を含んで成っていて透明である。
【００５０】
図９に示すタッチスクリーン１０は更に２番目の基質２０も含んで成る。この２番目の基質２０は支持体と導電性被膜２２を含んで成り、この導電性被膜２２は、前記１番目の基質の導電性被膜１６の方向に向く導電性表面２４を有していてそれから離れて位置する。この２番目の支持体の導電性被膜はＩＴＯで出来ている。
【００５１】
前記タッチスクリーン１０は更に本分野の技術者に良く知られている種類のスペーサードット２６も複数含んで成る。この複数のスペーサードット２６は、前記１番目の基質の導電性被膜１６の導電性表面１８の上に位置していて前記２番目の基質の導電性被膜２２の導電性表面２４に面しかつそれから離れて位置するか、別法として、このスペーサードット２６を前記２番目の基質の導電性被膜２２の導電性表面２４の上に位置させて前記１番目の基質の導電性被膜１６の導電性表面１８に面するようにしかつそれから離れて位置させることも可能である。
【００５２】
前記タッチスクリーン１０は更に複数の導電性要素も含んで成り、前記要素は導電性被膜１６および２２に電気連結していて前記導電性被膜が互いに接触した時に電気回路を形成する。前記１番目の導電性被膜１６はワイヤー２８でコンピューターのモニター（示していない）の中に位置する電力源（示していない）につながっており、前記２番目の導電
性被膜２２も同様にワイヤー３０でコンピューターのモニター（示していない）の中に位置する受信媒体（示していない）につながっている。導電性要素には数多くの代替構造配置が可能であり、例えば米国特許第４,３０６,１１０；米国特許第５,４３８,１６８；米国特許第５,５４１,３７０；米国特許第５,５８９,８５７；米国特許第５,８１８,４３０；および米国特許第５,８４０,１７５号（これらは各々引用することによって本明細書に組み入れられる）に記述されている如き構造配置が可能である。
【００５３】
本質的に導電性の重合体
本発明で用いる本質的に導電性の重合体は、本技術分野で公知の本質的に導電性の如何なる重合体であってもよく、例えばポリアセチレン、ポリピロール、ポリアニリン、ポリチオフェンなどであってもよい。本質的に導電性の適切な重合体に関する詳細を教則本、例えば“Ａｄｖａｎｃｅｓ  ｉｎ  Ｓｙｎｔｈｅｔｉｃ  Ｍｅｔａｌｓ”，Ｐ．Ｂｅｒｎｉｅｒ，Ｓ．Ｌｅｆｒａｎｔ，およびＧ．Ｂｉｄａｎ，Ｅｌｓｅｖｉｅｒ編集，１９９９；“Ｉｎｔｒｉｎｓｉｃａｌｌｙ  Ｃｏｎｄｕｃｔｉｎｇ  Ｐｏｌｙｍｅｒｓ：Ａｎ  Ｅｍｅｒｇｉｎｇ  Ｔｅｃｈｎｏｌｏｇｙ”，Ｋｌｕｗｅｒ（１９９３）；“Ｃｏｎｄｕｃｔｉｎｇ  Ｐｏｌｙｍｅｒ  Ｆｕｎｄａｍｅｎｔａｌｓ  ａｎｄ  Ａｐｐｌｉｃａｔｉｏｎｓ，Ａ  Ｐｒａｃｔｉｃａｌ  Ａｐｐｒｏａｃｈ”，Ｐ．Ｃｈａｎｄｒａｓｋｈａｒ，Ｋｌｕｗｅｒ，１９９９；そして“Ｈａｎｄｂｏｏｋ  ｏｆ  Ｏｒｇａｎｉｃ  Ｃｏｎｄｕｃｔｉｎｇ  Ｍｏｌｅｃｕｌｅｓ  ａｎｄ  Ｐｏｌｙｍｅｒｓ”，Ｗａｌｗａ編集１−４巻  Ｍａｒｃｅｌ  Ｄｅｋｋｅｒ  Ｉｎｃ．（１９９７）などに見ることができる。
【００５４】
本発明のスイッチの７番目の態様に従い、前記本質的に導電性の置換もしくは未置換ポリチオフェンは下記の式：
【００５５】
【化１】
2010231788.tif 000003
【００５６】
［式中、
ｎは、１よりも大きく、好適には５よりも大きく、そして
Ｒ1およびＲ2は、各々独立して、水素、または場合により置換されていてもよいＣ1-4アルキル基を表すか、或は一緒になって、場合により置換されていてもよいＣ1-4アルキレン基、または場合により置換されていてもよいシクロアルキレン基、好適にはエチレン基、場合によりアルキルで置換されていてもよいメチレン基、場合によりＣ1-12アルキルもしくはフェニルで置換されていてもよいエチレン基、１，３−プロピレン基、または１，２−シクロヘキシレン基を表す］
で表される。非常に好適な置換ポリチオフェンはポリ（３，４−エチレンジオキシチオフェン）（ＰＥＤＯＴ）であり、これは米国特許第５，７６６，５１５号およびヨーロッパ特許出願公開第６８６  ６６２号（これらは引用することによって本明細書に組み入れられる）に記述されている。
【００５７】
前記１番目および２番目の基質の導電性表面層は、公知のコーティング方法、例えばス
ピンコーティング（ｓｐｉｎ  ｃｏａｔｉｎｇ）、ディップ（ｄｉｐ）コーティング、ロッド（ｒｏｄ）コーティング、ブレード（ｂｌａｄｅ）コーティング、エアーナイフ（ａｉｒ  ｋｎｉｆｅ）コーティング、グラビア（ｇｒａｖｕｒｅ）コーティング、逆ロール（ｒｅｖｅｒｓｅ  ｒｏｌｌ）コーティング、押出し加工コーティング、スライド（ｓｌｉｄｅ）コーティングおよびカーテン（ｃｕｒｔａｉｎ）コーティングなどを用いて、前記本質的に導電性の重合体が入っているコーティング溶液もしくは分散液を塗布することで入手可能である。この塗布した溶液または分散液を公知方法で乾燥させて硬化させることができる。このようなコーティング技術の概説を“Ｍｏｄｅｒｎ  Ｃｏａｔｉｎｇ  ａｎｄ  Ｄｒｙｉｎｇ  Ｔｅｃｈｎｏｌｏｇｙ”，Ｅｄｗａｒｄ  Ｃｏｈｅｎ  および  Ｅｄｇａｒ  Ｂ．Ｇｕｔｏｆｆ  Ｅｄｉｔｏｒｓ，ＶＣＨ  Ｐｕｂｌｉｓｈｅｒｓ，Ｉｎｃ.，Ｎｅｗ  Ｙｏｒｋ（１９９２）に見ることができる。このようにして得た導電性被膜が示す表面抵抗値が好適には＜５００００Ω／平方であるようにする。
【００５８】
本質的に導電性のポリチオフェンおよび前記ポリチオフェンとポリアニオンを含有させた水性分散液の調製がヨーロッパ特許出願公開第４４０  ９５７号および相当する米国特許第５，３００，５７５号に記述されている。ポリチオフェンの生成は、高分子量ポリアニオン化合物の存在下の下記の式：
【００５９】
【化２】
2010231788.tif 000004
【００６０】
［式中、Ｒ1およびＲ2は、この上で定義した通りである］
に従う３，４−ジアルコキシチオフェンまたは３，４−アルキレンジオキシチオフェンの酸化的重合で進行する。
【００６１】
前記式に相当するチオフェンとポリ酸と酸化剤を有機溶媒または好適には水（場合により有機溶媒を特定量で入れた）に溶解させそして次にその結果として生じた溶液またはエマルジョンを０℃から１００℃で重合反応が完結するまで撹拌することを通して、ポリチオフェンの安定な水溶液もしくは分散液を得ることができる。このような酸化的重合で生じるポリチオフェンは正に帯電しているが、そのような正帯電の場所および数を正確に決定するのは不可能であり、従って、ポリチオフェン重合体の繰り返し単位を示す一般式にはそれを記述しなかった。
【００６２】
前記酸化剤は、ピロールの酸化的重合で典型的に用いられる酸化剤であり、Ｊ．Ａｍ．Ｓｏｃ．８５、４５４（１９６３）を参照のこと。安価で取り扱いが容易な好適な酸化剤は鉄（ＩＩＩ）塩、例えばＦｅＣｌ3、Ｆｅ（ＣｌＯ4）3、そして有機酸および有機残基を含有する無機酸の鉄（ＩＩＩ）塩などである。他の適切な酸化剤はＨ2Ｏ2、Ｋ2Ｃｒ2Ｏ7、アルカリもしくはアンモニウムの過硫酸塩、アルカリの過ホウ酸塩、過マンガン酸カリウムおよび銅塩、例えばテトラフルオロホウ酸銅などである。また空気もしくは酸素を酸化剤として用いることも可能である。チオフェンの酸化的重合に必要な酸化剤の量は理論的にチオフェン１モル当たり２．２５当量である（Ｊ．Ｐｏｌｙｍ．Ｓｃｉ．パートＡ、Ｐｏｌｙｍｅｒ  Ｃｈｅｍｉｓｔｒｙ、２６巻、１２８７頁、１９８８）。しかしながら、実際には酸化剤を過剰量で用い、例えばチオフェン１モル当たり０．１から２当量の過剰量で用いる。
【００６３】
前記ポリ酸がポリアニオンを形成するようにするか、或は別法として、相当するポリ酸の塩、例えばアルカリ塩としてポリアニオンを添加することも可能である。好適なポリ酸またはそれの塩は高分子量カルボン酸、例えばポリ（アクリル酸）、ポリ［（メタ）アクリル酸］およびポリ（マレイン酸）など、または高分子量スルホン酸、例えばポリ（スチレンスルホン酸）（ＰＳＳ）またはポリ（ビニルスルホン酸）などである。別法として、そのようなカルボン酸および／またはスルホン酸と他の重合性単量体、例えばスチレンまたはアクリレートなどから作られた共重合体を用いることも可能である。特にＰＳＳが好適である。このようなポリアニオンを形成するポリ酸の分子量を好適には１０００から２ｘ１０6、より好適には２０００から５ｘ１０5の範囲にする。このようなポリ酸またはそれらのアルカリ金属塩は商業的に入手可能であり、公知方法、例えばＨｏｕｂｅｎ−Ｗｅｙｌ，Ｍｅｔｈｏｄｅｎ  ｄｅｒ  Ｏｒｇａｎｉｓｃｈｅ  Ｃｈｅｍｉｅ，Ｂｄ．Ｅ２０
Ｍａｒｋｒｏｍｏｌｅｋｕｌａｒｅ  Ｓｔｏｆｆｅ，Ｔｅｉｌ  ２，（１９８７），１１４１頁に記述されている如き方法に従って調製可能である。
【００６４】
次に、そのようにして得た本質的に導電性の重合体が入っている溶液または分散液をコーティング溶液もしくは分散液の基本材料として用いることができる。このようなコーティング溶液もしくは分散液にまた追加的材料、例えば１種以上の結合剤、１種以上の界面活性剤、スペーシング（ｓｐａｃｉｎｇ）粒子、ＵＶフィルターまたはＩＲ吸収剤などを入れることも可能である。適切な高分子量結合剤がヨーロッパ特許出願公開第５６４  ９１１号に記述されている。そのような結合剤を硬化剤、例えばヨーロッパ特許出願公開第５６４  ９１１号に記述されている如きエポキシシラン（これは特にガラス基質を被覆する時に用いるに適切である）などで処理しておくことも可能である。
【００６５】
そのような本質的に導電性の重合体が入っているコーティング溶液もしくは分散液に、また、好適には、線状、分枝もしくは環状の脂肪族Ｃ2-20炭化水素、または場合により置換されていてもよい芳香族Ｃ6-14炭化水素、またはピランもしくはフラン［このような有機化合物にヒドロキシ基を少なくとも２つ含めるか或は−ＣＯＸもしくは−ＣＯＮＹＺ基（ここで、Ｘは−ＯＨを表しそしてＹおよびＺは互いに独立してＨまたはアルキルを表す）を少なくとも１つ含める］、またはラクタム基を少なくとも１つ含む複素環式化合物も入れる。そのような有機化合物の例はＮ−メチル−２−ピロリドン、２−ピロリドン、１，３−ジメチル−２−イミダゾリドン、Ｎ，Ｎ，Ｎ’，Ｎ’−テトラメチル尿素、ホルムアミド、ジメチルホルムアミドおよびＮ，Ｎ−ジメチルアセトアミドである。好適な例は糖または糖誘導体、例えばアラビノース、サッカロース、グルコース、フルクトースおよびラクトースなど、またはジ−もしくはポリアルコール類、例えばソルビトール、キシリトール、マンニトール、マンノース、ガラクトース、ソルボース、グルコン酸、エチレングリコール、ジ−もしくはトリ（エチレングリコール）、１，１，１−トリメチロールプロパン、１，３−プロパンジオール、１，５−ペンタンジオール、１，２，３−プロパントリオール、１，２，４−ブタントリオール、１，２，６−ヘキサントリオールなど、または芳香族ジもしくはポリアルコール類、例えばレゾルシノールなどである。
【００６６】
産業用途
本スイッチおよび本電気回路は全ての電気器具で使用可能であり、例えば膜スイッチを含んで成るキーボードなどで使用可能である。最も好適な器具は抵抗タッチスクリーンである。
【実施例】
【００６７】
本明細書の以下に実験１から６として記述する一連の試験を図１０に示す試験器具を用いて実施した。このような組み立てを、Ｅｌｏ  Ｔｏｕｃｈｓｙｓｔｅｍｓ，Ｉｎｃ．（Ｆｒｅｍｏｎｔ、カリフォルニア州）から商業的に入手可能なＡｃｃｕＴｏｕｃｈ（商標
）タッチスクリーンが組み込まれている標準的な２６．４ｃｍ（１０．４インチ）のディスプレーを改造することで行った。この標準的なＡｃｃｕＴｏｕｃｈ（商標）タッチスクリーン構造物は、ＩＴＯで出来ている透明な導電性被膜１６で覆われているＰＥＴプラスチックシート３２を含んで成るカバーシート（１番目の基質）およびまたＩＴＯで出来ている透明な導電性被膜２２で覆われているガラス支持体３３を含んで成る。この２つの透明な導電性被膜面は互いに面していて離れて位置する。スペーサードットが前記カバーシート（１番目の基質）の被膜の上の配置されていて、これらはガラススクリーンの導電性被膜に面してはいるがそれには触れていない。
【００６８】
本実験では、前記カバーシート（１番目の基質）の透明な導電性被膜のＩＴＯを本質的に導電性の重合体で出来ている被膜に置き換えることを通して、この上に記述した標準的構造配置を改造した。用いた特別な本質的に導電性の重合体はＰＥＤＯＴ／ＰＳＳであり、これは、Ａｇｆａ−Ｇｅｖａｅｒｔ  Ｎ．Ｖ．（Ｍｏｒｔｓｅｌ、ベルギー）から商標ＯＲＧＡＣＯＮTMＥＬ３ＴＧの下で厚みが１７５ミクロメートルのポリエチレンテレフタレートフィルムを覆っている被膜として商業的に入手可能である。
【００６９】
空気式ピストンを前記１番目の基質の上に位置するように前記導電性表面とは反対側の面に取り付けて３４０ｇ（１２オンス）の荷重を針に１秒当たり３回の頻度でかけた。この針３１は硬質プラスチック、具体的にはＧｅｎｅｒａｌ  Ｅｌｅｃｔｒｉｃ  Ｃｏｍｐａｎｙから商業的に入手可能なＣＹＣＯＬＡＣ（商標）Ｔ４５００  ＡＢＳで出来ていた。この針の先端部の半径は０．７６ｍｍ（０．０３０インチ）であった。この先端部をこれが前記導電性表面とは反対側の１番目の基質の表面に存在する複数のスペーサードットの中の４個が限定する領域の中心部を打つように注意深く位置させた。この針の先端部が前記１番目の基質を打つと、前記タッチスクリーンの１番目の基質を覆っている導電性被膜と２番目の基質を覆っている導電性被膜が押されて接触することで電気回路が完成する。図１０に示すように、１０００オームの抵抗器Ｒ１と９０００オームの抵抗器Ｒ２を前記１番目の基質の導電性被膜と直列でつなげておいた。この抵抗器Ｒ１を横切る電圧降下Ｖを連続的に監視する目的でデータ取得装置を用いた。この回路にまた１対の入力端子ＡとＢも含めておいた。
【００７０】
実験１
この実験では、入力端子ＡとＢを横切らせて５ボルトＤＣの電圧電位（ｖｏｌｔａｇｅ
ｐｏｔｅｎｔｉａｌ）をかけたが、この電圧はタッチスクリーン産業で通常用いられる電圧である。米国特許第５，７６６，５１５号に教示されているように、端子Ａの電圧を端子Ｂに対して正にした。前記１番目の基質の導電性表面と２番目の基質の導電性表面が接触することによって作り出される電気接触が劣化すると、各接触中に流れる電流の量が低下することで直列抵抗を横切る電圧降下の度合が低くなる。
【００７１】
前記導電性表面を接触させた時に適切な電気回路が完成しない度合にまで電気接触が劣化すると、タッチスクリーンの故障が起こり得る。抵抗器Ｒ１を横切る電圧降下が５０パーセント低くなることで示されるように電流の量が５０パーセント少なくなると、これは、タッチスクリーンが故障したことを示す妥当な指標である。図１は、抵抗器Ｒ１を横切る測定電圧Ｖが約１４００回のタッチＴ後に５０パーセント低くなることを示している。
【００７２】
実験２
実験２でもまた入力端子ＡとＢを横切らせて５ボルトＤＣの電圧電位をかけたが、しかしながら、実験２では実験１に比較して極性を逆にした、即ち端子Ａが端子Ｂに対して負の電圧を持つようにした。図２は、抵抗器Ｒ１を横切る測定電圧Ｖが約８０，０００回のタッチＴ後でも５０パーセントにまで低くならなかったことを示しており、このことは、実験１に比較して５７倍の向上に相当する。
【００７３】
実験３
実験３でも再び端子Ａに正の極性を持たせたが、入力端子ＡとＢを横切る電圧電位を５ボルトＤＣから０．５ボルトＤＣにまで低くした。図３は、抵抗器Ｒ１を横切る電圧Ｖの低下は約１３０，０００回のタッチＴ後でも無視出来るほどであることを示している。この実験をタッチＴが全体で約１．８１百万回のタッチになるまで継続した。図４は、この試験の最後の１２０，０００回のタッチＴに渡る電圧低下は図３に示した元々の電圧Ｖに比較してほんの数パーセント低くなるのみであることを示している。１．８１百万回のタッチＴを越えて継続した実験全体に渡って抵抗器Ｒ１を横切る測定電圧Ｖの５０パーセント低下は起こらなかった。
【００７４】
実験４
実験４でも再び端子Ａに負の極性を持たせた（実験２と同様に）が、入力端子ＡとＢを横切る電圧電位を５ボルトＤＣから０．５ボルトＤＣにまで低くした。図５および図６は、１．３百万回のタッチＴを越えて継続した実験全体に渡って抵抗器Ｒ１を横切る測定電圧Ｖの５０パーセント低下は起こらなかったことを示している。
【００７５】
極性を逆にしてもＤＣ電圧を低くしても装置が故障を起こす前のタッチ数が大きく増大することが前記実験から分った。このことは驚くべきことでありかつ予想外であった。
【００７６】
実験５
実験５では、６０Ｈｚで作動する５ボルトのＡＣ源を入力端子ＡとＢにつなげた。図７は、抵抗器Ｒ１を横切る測定電圧Ｖが約７００回のタッチＴ後に５０パーセントを越えて低くなることを示している。
【００７７】
実験６
実験６では、ＡＣ電圧のレベルを５ボルトから０．５ボルトにまで下げた。図８は、３０，０００回のタッチＴを越えて継続した実験全体に渡って抵抗器Ｒ１を横切る測定電圧Ｖの５０パーセント低下は起こらなかったことを示している。
【００７８】
ＡＣ電圧を低くしても装置が故障を起こす前のタッチ数Ｔが大きく増大することが前記実験から分った。このような結果は驚くべきことでありかつ予想外であった。
【００７９】
本分野の通常の技術を持つ実施者が理解するであろうように、本発明は数多くの変形を受け入れる余地があり、そのような変形には、これらに限定するものでないが、抵抗タッチスクリーンおよび膜スイッチの全ての変形が含まれる。本発明に対するそのような変形は全部本発明の範囲内に入る。
【図面の簡単な説明】
【００８０】
【図１】図１は、図１０の試験器具を用いて回路電圧を５Ｖにしそしてカバーシート（１番目の基質）に正極性を持たせて実施した実験１の抵抗器Ｒ１を横切る電圧Ｖをタッチ数Ｔの関数として示すチャートである。
【図２】図２は、図１０の試験器具を用いて回路電圧を５Ｖにしそしてカバーシート（１番目の基質）に負極性を持たせて実施した実験２の抵抗器Ｒ１を横切る電圧Ｖをタッチ数Ｔの関数として示すチャートである。
【図３】図３は、図１０の試験器具を用いて回路電圧を０．５Ｖにしそしてカバーシート（１番目の基質）に正極性を持たせて実施した実験３の抵抗器Ｒ１を横切る電圧Ｖをタッチ数Ｔの関数として示すチャートである。
【図４】図４は、図１０の試験器具を用いて回路電圧を０．５Ｖにしそしてカバーシート（１番目の基質）に正極性を持たせて実施した実験３の抵抗器Ｒ１を横切る電圧Ｖをタッチ数Ｔの関数として示すチャートである。
【図５】図５は、図１０の試験器具を用いて回路電圧を０．５Ｖにしそしてカバーシート（１番目の基質）に負極性を持たせて実施した実験４の抵抗器Ｒ１を横切る電圧Ｖをタッチ数Ｔの関数として示すチャートである。
【図６】図６は、図１０の試験器具を用いて回路電圧を０．５Ｖにしそしてカバーシート（１番目の基質）に負極性を持たせて実施した実験４の抵抗器Ｒ１を横切る電圧Ｖをタッチ数Ｔの関数として示すチャートである。
【図７】図７は、図１０の試験器具を用いて回路ＡＣ電圧を５Ｖおよび６０Ｈｚにして実施した実験５の抵抗器Ｒ１を横切る電圧Ｖをタッチ数Ｔの関数として示すチャートである。
【図８】図８は、図１０の試験器具を用いて回路ＡＣ電圧を０．５Ｖおよび６０Ｈｚにして実施した実験６の抵抗器Ｒ１を横切る電圧Ｖをタッチ数Ｔの関数として示すチャートである。
【図９】図９は、本発明に従うタッチスクリーンの図示図である。
【図１０】図１０は、本発明に従って用いた回路装置の図示図である。
【図１】
2010231788.tif 000006
【図２】
2010231788.tif 000007
【図３】
2010231788.tif 000008
【図４】
2010231788.tif 000009
【図５】
2010231788.tif 000010
【図６】
2010231788.tif 000011
【図７】
2010231788.tif 000012
【図８】
2010231788.tif 000013
【図９】
2010231788.tif 000014
【図１０】
2010231788.tif 000015